(57)【要約】      （修正有）【課題】カプセル内の商品を目視できるように陳列して利用者がカプセル内の商品を容易に認識することができるようにするカプセル自動販売機用陳列棚を提供する。【解決手段】商品９が入れられた複数のカプセル７が収納される、前面が透視可能に形成されたカプセル収納部２と、硬貨投入口から硬貨が投入された後にハンドルが回転操作されるとカプセル取り出し口からカプセルが排出されるカプセル取り出し部を備えたカプセル自動販売機内に配置される、商品９を陳列する陳列棚１０であって、陳列棚１０が、カプセル収納部２の前面８の内側に、カプセル収納部２の外側から陳列する商品９が目視可能に配置されるカプセル自動販売機用陳列棚である。【選択図】図３
0003213528.tif 000002
【実用新案登録請求の範囲】
【請求項１】
商品が入れられた複数のカプセルが収納される、前面が透視可能に形成されたカプセル収納部と、硬貨投入口から硬貨が投入された後にハンドルが回転操作されるとカプセル取り出し口からカプセルが排出されるカプセル取り出し部を備えたカプセル自動販売機内に配置される、前記商品を陳列する陳列棚であって、前記陳列棚が、前記カプセル収納部の前記前面の内側に、前記カプセル収納容器の外側から前記陳列する商品が目視可能に配置されるカプセル自動販売機用陳列棚。
【請求項２】
前記陳列棚は、上下方向に複数段の棚板が形成されていることを特徴とする請求項１に記載のカプセル自動販売機用陳列棚。
【請求項３】
前記陳列棚は、少なくとも前記棚板が透明であることを特徴とする請求項２に記載のカプセル自動販売機用陳列棚。
【考案の詳細な説明】
【技術分野】
【０００１】
本考案は、カプセル自動販売機で販売されるカプセル内の商品を認識できるようにするために商品を目視できるように陳列してカプセル自動販売機内に装着するカプセル自動販売機用陳列棚に関する。  
【背景技術】
【０００２】
カプセル自動販売機は、通常ガチャガチャ又はガチャポン等と呼ばれる自動販売機の一種で、玩具等の商品を入れたプラスチック製のカプセルをカプセル収納部に多数収納しておき、硬貨投入後にハンドルを回すことによって内部の回転ドラムを回転させてカプセルをカプセル取り出し部の開口の上部に移動することで取り出し口に排出させるものが一般的である。
【０００３】
カプセル自動販売機のカプセルは透明になっていることが多く、カプセルを収納するカプセル収納部も透明になっているものの、カプセル収納部前面のフロントウィンドウにＰＯＰが貼ってあるため、あるいは、商品がカプセル内に収納されているため、排出される可能性のある商品の種類、商品の全体や材質などを直接目視しにくいという欠点ある。
【０００４】
カプセル内の商品を利用者に認知させる方法として、カプセル自動販売機のカプセルが格納されたフロントウィンドウに商品の説明が記載されたポップ等で表示している（特許文献１参照）。
【０００５】
また、別の商品を認知させる方法として、商品の内容を表示する液晶を利用した電子画像表示装置をカプセル収納部の内側に目視可能に配置した自動販売機も提案されている（特許文献２参照）。
【先行技術文献】
【特許文献】
【０００６】
【特許文献１】特開２００６−１７８６３１号公報
【特許文献２】特開２００８−３０５３２６号公報
【考案の概要】
【考案が解決しようとする課題】
【０００７】
しかし、特許文献１記載のポップや特許文献２記載の電子画像表示では、平面的であり、また、実物ではないために、立体感に乏しく商品が有する質感、大きさ、色合い等が伝わりづらいという欠点があった。
【０００８】
そこで、本考案は、カプセル内の商品を目視できるように陳列して利用者がカプセル内の商品を容易に認識することができるようにするカプセル自動販売機用陳列棚を提供するものである。
【課題を解決するための手段】
【０００９】
本願請求項１に記載の考案は、商品が入れられた複数のカプセルが収納される、前面が透視可能に形成されたカプセル収納部と、硬貨投入口から硬貨が投入された後にハンドルが回転操作されるとカプセル取り出し口からカプセルが排出されるカプセル取り出し部を備えたカプセル自動販売機内に配置される、前記商品を陳列する陳列棚であって、前記陳列棚が、前記カプセル収納部の前記前面の内側に、前記カプセル収納容器の外側から前記陳列する商品が目視可能に配置されるカプセル自動販売機用陳列棚である。
【００１０】
本願請求項２に記載の考案は、前記陳列棚は、上下方向に複数段の棚板が形成されていることを特徴とする請求項１に記載のカプセル自動販売機用陳列棚である。
【００１１】
本願請求項３記載の考案は、前記陳列棚は、前記棚板が透視可能であることを特徴とする請求項２に記載のカプセル自動販売機用陳列棚である。
【考案の効果】
【００１２】
本願請求項１に記載の考案によれば、カプセル内の商品を陳列する陳列棚をカプセル収納部内の前面に設けることにより、商品の実物の全体や材質などがカプセル収納部の外側から目視できるので、利用者は商品を選択しやすくなる。
【００１３】
本願請求項２に記載の考案によれば、前記陳列棚を上下方向に棚板を複数段設けることにより、多くの異なる種類の商品を陳列することができるので、利用者の興味を引くことが可能となるとなりまた、集客を計ることも期待できる。
【００１４】
本願請求項３に記載の考案によれば、透視可能な棚板により陳列された商品の全体が見易くなる。
【図面の簡単な説明】
【００１５】
【図１】本考案のカプセル自動販売機用陳列棚を配置したカプセル自動販売機を上下方向に重ねた状態を示す図である。
【図２】本考案の陳列棚をカプセル収納部に配置する状態を示す斜視図である。
【図３】本考案の陳列棚の配置したカプセル収納部の説明図である。
【図４】本考案の陳列棚の説明図である。
【考案を実施するための形態】
【００１６】
本発明の実施例について図面を参照しながら説明する。
【実施例】
【００１７】
図１においては、本考案のカプセル自動販売機用陳列棚１０を配置した２台のカプセル自動販売機１が上下方向に重ねて設置されている。カプセル自動販売機１は複数のカプセル７（図３）を収納するカプセル収納部２とカプセル７を取り出すカプセル取り出し部３からなる。本考案において、カプセル自動販売機は、公知のものを使用できる。
【００１８】
カプセル取り出し部３は、硬貨投入口４から硬貨を投入した後にハンドル５を回すと、カプセル７が取り出し口６へ排出される。カプセル取り出し部３は、本考案において、公知のカプセル取り出し部と同じ構造である。
【００１９】
図２，図３において、カプセル収納部２は、同一あるいは種類の異なる小型の玩具などの商品が入れられた複数のカプセル７を収納可能な容器からなり、本考案の陳列棚１０に陳列されている商品が外側から目視できるように、少なくとも前面８は、例えば、透明なアクリルなどにより透視可能に形成される。
【００２０】
本考案は、カプセル自動販売機１のカプセル収納部２の前面８の内側に、カプセル内に収納されている商品９を陳列する陳列棚１０を配置して陳列された商品を目視可能にすることに特徴がある。そのため、カプセル収納部１の前面８が透明なアクリルで内部が透視可能となっているので、陳列棚１０に陳列されている商品９がカプセル収納部２の外側から目視可能となる。陳列棚１０は、上下方向に棚板１１を複数段設けることにより、取り出せる商品のすべてが陳列できるようにする。棚板１１の材質や色は適宜選択可能で、例えば、透明な透視可能な材質を使用してもよい。
【００２１】
陳列棚１０は、図２に示すように、カプセル収納部２の上方から差し入れ、下部の固定板１２をカプセル収納部２へビスで留めて固定する。陳列棚１０の固定板１２側には、固定板１２には傾斜板１３を設けて、カプセル７が滞留しないでカプセル排出口１４側へ転がるようにする。
【符号の説明】
【００２２】
１：カプセル自動販売機
２：カプセル収納部
３：カプセル取り出し部
４：硬貨投入口
５：ハンドル
６：取り出し口
７：カプセル
８：前面
９：商品
１０：陳列棚
１１：棚板
１２：固定板
１３：傾斜板
１４：カプセル排出口
【図１】
0003213528.tif 000003
【図２】
0003213528.tif 000004
【図３】
0003213528.tif 000005
【図４】
0003213528.tif 000006
【手続補正書】
【提出日】平成29年9月14日(2017.9.14)
【手続補正１】
【補正対象書類名】実用新案登録請求の範囲
【補正対象項目名】全文
【補正方法】変更
【補正の内容】
【実用新案登録請求の範囲】
【請求項１】
商品が入れられた複数のカプセルが収納される、前面が透視可能に形成されたカプセル収納部と、硬貨投入口から硬貨が投入された後にハンドルが回転操作されるとカプセル取り出し口からカプセルが排出されるカプセル取り出し部を備えたカプセル自動販売機内に配置される、前記商品を陳列する陳列棚であって、前記陳列棚が、前記カプセル収納部の前記前面の内側に、前記カプセル収納部の外側から前記陳列する商品が目視可能に配置されるカプセル自動販売機用陳列棚。
【請求項２】
前記陳列棚は、上下方向に複数段の棚板が形成されていることを特徴とする請求項１に記載のカプセル自動販売機用陳列棚。
【請求項３】
前記陳列棚は、少なくとも前記棚板が透明であることを特徴とする請求項２に記載のカプセル自動販売機用陳列棚。
【手続補正２】
【補正対象書類名】明細書
【補正対象項目名】０００９
【補正方法】変更
【補正の内容】
【０００９】
本願請求項１に記載の考案は、商品が入れられた複数のカプセルが収納される、前面が透視可能に形成されたカプセル収納部と、硬貨投入口から硬貨が投入された後にハンドルが回転操作されるとカプセル取り出し口からカプセルが排出されるカプセル取り出し部を備えたカプセル自動販売機内に配置される、前記商品を陳列する陳列棚であって、前記陳列棚が、前記カプセル収納部の前記前面の内側に、前記カプセル収納部の外側から前記陳列する商品が目視可能に配置されるカプセル自動販売機用陳列棚である。